(57)【要約】【課題】本発明は、食堂などに移動可能とされると共に、車椅子のままの状態、あるいは居室での状態での手洗いができる移動式簡易手洗い装置を提供することを目的とするものである。【解決手段】本発明は、キャスター付き脚体部３によって支持される洗面受け台２と、前記洗面受け台２の下部に、該洗面受け台２の排水口４に連通状に設置される汚水タンク６と、前記洗面受け台２上に立設され、給水タンク９が上部に配置される給水塔８と、前記給水塔８の外周壁面に、前記給水タンク９に連通状、かつ複数の上下可動かつ屈曲自在とされるシャワ・ホース１５が均等ごとに配置されると共に、その先端に開閉自在なシャワ・ヘッド１６が設けられる。【選択図】図２
2008200394.tif 000002
【特許請求の範囲】
【請求項１】
キャスター付き脚体部によって支持される洗面受け台と、
前記洗面受け台の下部に、該洗面受け台の排水口に連通状に設置される汚水タンクと、
前記洗面受け台上に立設され、給水タンクが上部に配置される給水塔と、
前記給水塔の外周壁面に、前記給水タンクに連通状、かつ屈曲自在とされる複数のシャワ・ホースが配置されると共に、その先端に開閉自在なシャワ・ヘッドが設けられる
ことを特徴とする簡易手洗い装置。
【請求項２】
前記給水塔の外周壁面に、薬用せっけん液ディスペンサおよび紙タオルボックス並びにダストボックスを設けた
ことを特徴とする請求項１記載の簡易手洗い装置。
【請求項３】
前記シャワ・ホースが上下動自在とされる
ことを特徴とする請求項１又は２記載の簡易手洗い装置。
【請求項４】
前部に蓋兼水はねガード部がジャバラによって開閉自在とされる方形状の容器本体と、
前記容器本体の上面に着脱自在に取り付けられる給水タンクと、
前記容器本体内の上部に前記給水タンクに連通状、かつ屈曲自在とされるシャワ・ホースと、
前記シャワ・ホースの先端に取り付けられる開閉自在なシャワ・ヘッドと、
前記容器本体内の下部に着脱自在に収納される汚水タンクを備える
ことを特徴とする簡易手洗い装置。
【請求項５】
前記容器本体に、手提げ用としてのハンドルが設けられる
ことを特徴とする請求項４記載の簡易手洗い装置。
【請求項６】
前記容器本体の背面に、内部が開放状とされる背面カバーが着脱自在に取り付けられる
ことを特徴とする請求項４又は５記載の簡易手洗い装置。
【発明の詳細な説明】
【技術分野】
【０００１】
本発明は、移動式簡易手洗い装置に関する。詳しくは心身に障害のある要介護者や車椅子利用者や寝たきり患者の食前・トイレ使用後の手洗いが支障なく行える移動式簡易手洗い装置に係るものである。
【背景技術】
【０００２】
介護施設・病院などでは、心身に障害のある利用者・患者などの食前・トイレの使用後の手洗いなどにおいて、例えば車椅子の利用者では、車椅子が入り込むスペースや洗面台と洗面台との間に介護人が立てるスペースが必要となることから洗面台の設置数が限られ、多人数による食事前の車椅子利用者の手洗いでは非常に煩雑な作業となる。また、寝たきりの患者では洗面器を手元まで持っていく必要があり、介護者に非常に負担がかかるものである。したがって、介護施設や病院ではその多くについてオシボリや噴霧式手指消毒液などが用いられている。
しかし、オシボリや噴霧式手指消毒液などでは感染防止など衛生的観点からは必ずしも効果的ではなく、それどころかオシボリは、そのもの自体が感染源となる実例も多々ある。
【０００３】
ところで、簡易手洗い装置として図９に示すものがある。この簡易手洗い装置１０１は、枠体１０２の上部に給水コック１０３を有する給水タンク１０４を配設し、この枠体１０２の下部に排水受タンク１０５を配設し、この枠体１０２の中間に水受器１０６を配設し、前記給水コック１０３を、この水受器１０６上に配設し、更に水受器１０６に垂設した排水管１０７を前記排水受タンク１０５に挿入配設した構成とされる（特許文献１参照。）。
【０００４】
【特許文献１】特開平９−１９３８１号公報（要約書、第１図）
【発明の開示】
【発明が解決しようとする課題】
【０００５】
しかしながら前記構成の簡易手洗い装置では、健康な人が立った状態での手洗いしかできない構成となっており、車椅子に乗った状態では給水コックまで手が届かないことになり、車椅子の利用者や寝たきり患者の場合では、全く用を足さないこととなる。
【０００６】
このように感染防止の根本は、やはり適切な手洗いをすることである。しかし、介護施設・病院や個人住宅の一般的な据え付け式洗面台による手洗いでは、前述のように心身に障害を持つ人には、洗面台までの移動、手洗いについて、本人にとっても介助者によっても非常に煩雑となる理由から現実にはオジボリによる代用が広く行われている。
【０００７】
また、ディサービス・老人ホームなど介護施設や医療施設では、多数利用者が一時に手洗いしなければならない食事時などでは、据え付け式洗面台では「手洗いが間に合わない」などの理由から、オシボリによる手洗いの代用が多くの介護・医療現場で恒常化している。いっぽう、寝たきりの入居者・患者では、例えば、居室でのポータブルトイレによる排泄後の手洗いについては。ほぼ全てがオシボリとなっているのが現状である。
【０００８】
本発明は、以上の点に鑑みて創案されたものであって、食堂などに移動可能とされると共に、車椅子のままの状態、あるいは居室での状態での手洗いができる移動式簡易手洗い装置を提供することを目的とするものである。
【課題を解決するための手段】
【０００９】
上記の目的を達成するために、本発明に係る移動式の簡易手洗い装置は、キャスター付き脚体部によって支持される洗面受け台と、前記洗面受け台の下部に、該洗面受け台の排水口に連通状に設置される汚水タンクと、前記洗面受け台上に立設され、給水タンクが上部に配置される給水塔と、前記給水塔の外周壁面に、前記給水タンクに連通状、かつ屈曲自在とされる複数のシャワ・ホースが配置されると共に、その先端に開閉自在なシャワ・ヘッドが設けられる。
【００１０】
ここで、介護・医療の施設などで多人数が同時に食事する前の手洗いなどの場合に、周囲のスペースが確保できる位置まで移動することによって、洗面受け台上に立設される給水塔の周囲に均等にシャワ・ホースおよびシャワ・ヘッドが配置されることにより、手洗いのための行列の形成やその移動および介助などによる動線が交差することがなく、円滑な手洗い・介助を行うことができる。
【００１１】
また、上記の目的を達成するために、本発明に係る携帯式の簡易手洗い装置は、前部に蓋兼水はねガード部がジャバラによって開閉自在とされる方形状の容器本体と、前記容器本体の上面に着脱自在に取り付けられる給水タンクと、前記容器本体内の上部に前記給水タンクに連通状、かつ屈曲自在とされるシャワ・ホースと、前記シャワ・ホースの先端に取り付けられる開閉自在なシャワ・ヘッドと、前記容器本体内の下部に着脱自在に収納される汚水タンクを備える。
【００１２】
ここで、個室のベット上で寝たきりの病人などにおいて手洗いを行う場合に、ベット上まで持ち運びができることにより介護者はベット上での手洗いや洗顔をすることが可能となる。
【発明の効果】
【００１３】
以上の構成よりなる本発明に係る移動式簡易手洗い装置では、デイサービス・老人ホームなどの介護施設や医療施設のように多数利用者が一時に手洗いしなければならない食事時などでは、周囲が確保できる場所に容易に移動することができ、かつ洗面受け台が円形状とされることから、一度に多人数の手洗いができると共に、交替が混雑することなく効率良く行うことが可能となる。
【００１４】
また、以上の構成よりなる本発明に係る携帯式簡易手洗い装置では、ベットまでの持ち運びが容易に行うことができるために、寝たきりの状態での食事時や簡易トイレによる排泄後に水による手洗いを行うことが可能となる。
【発明を実施するための最良の形態】
【００１５】
以下、本発明の実施の形態を図面を参酌しながら説明し、本発明の理解に供する。
実施例１
図１に、本発明を適用した移動式簡易手洗い装置の一例を示す平面説明図、図２は、図１における側面説明図、図３に、図２における内部機構図である。
【００１６】
ここで示す移動式簡易手洗い装置１は、４人が同時に手洗いすることができる大きさの円形状の洗面受け台２の下部に、４本の脚体部３が設けられる。この脚体部３によって障害者A等が車椅子Bに座った状態で前記洗面受け台２下部に入り込めるように前記洗面受け台２の高さ位置を設定すると共に、前記脚体部３の下端には、それぞれストッパー付きキャスター７が取り付けられ、移動式簡易手洗い装置１を任意の位置に移動して停止できる構成とするものである。
【００１７】
そして前記洗面受け台２の中央に排水口４が開口され、この排水口４を中心とした洗面受け台２の外周縁に沿って曲斜面状に水はねガード板５が形成される。また、前記洗面受け台２の下面には、前記排水口４と連通状に汚水タンク６が垂下される。この汚水タンク６は、その下部を逆円錐形に形成し、下端部の直径を小さくすることにより、車椅子での使用に邪魔にならず、かつ下方までタンクを延長することにより移動式簡易手洗い装置１の重心を下げ安定性を高める構成とするものである。
【００１８】
次に、前記洗面受け台２の中央には円筒状の給水塔８が立設される。この給水塔８の外周面の９０度ごとにシャワ・ホース高さ調整溝２６が上下方向に開口される。そして前記給水塔８内の上部には、給水タンク９が配置される。この給水タンク９は、その上端中央に給水口１０が設けられ、下端中央の送水口１１には除菌フィルター１２および送水ホース分岐部１３が取り付けられる。
【００１９】
そして前記分岐部１３より給水ホース１４が連通状に連結され、前記シャワ・ホース高さ調整溝２６に嵌め入れられるシャワ・ホース１５に連結される。このシャワ・ホース１５は、上下方向、あるいは左右方向に屈曲自在とされるフレキシブル素材によって形成されると共に、前記シャワ・ホース高さ調整溝２６内を上下方向に移動可能な機構とすることにより高さ調整が自在に行えるものとする。
【００２０】
また、前記シャワ・ホース１５の先端にはシャワ・ヘッド１６が装着される。このシャワ・ヘッド１６には、障害者の使用に便利な大きめのレバー２５を左右側に回動させることによって出水量を調整することができるシャワ水栓１７が取り付けられ、シャワ・ヘッド１６から糸を引くようにゆっくり出水するようにする。
【００２１】
次に、前記シャワ・ホース高さ調整溝２６の左側壁面には、薬用せっけん液ディスペンサ１８がそれぞれ配置される。この薬用せっけん液ディスペンサ１８は、片手で使用可能なように、下端のノズル１９を下から押し上げることで定量の薬用せっけんが吐出される構成とするものである。
【００２２】
いっぽう、前記シャワ・ホース高さ調整溝２６の右側壁面には、凹部状とした紙タオル嵌め込み式の紙タオルボックス２０が形成されると共に、この紙タオルボックス２０下方には使用済み紙タオル投入口２１が開口される。この紙タオル投入口２１にはダストボックス２２が嵌め込まれ、廃棄時にはダストボックス２２ごと引き出せる構成とするものである。
【００２３】
以上の構成よりなる本発明の移動式簡易手洗い装置１は、図４に示すように、定位置に移動する前に、移動式簡易手洗い装置１の給水タンク９上端の給水口１０に、ホース２３を連結させて給水ポンプ２３等によって５０〜８０リットルの水を注入する。
【００２４】
そして給水が完了した後に、介護・医療の施設（ディルーム・食堂）などでる要介護者や車椅子利用者が同時に食事する前の手洗いなどの場合に多人数が同時座れる広さを有するホールに移動させる。
【００２５】
そこで図５に示すように、車椅子Ｂに乗ったままの障害者Ａが手洗いをする場合には、給水塔８の外周面の９０度ごとにシャワ・ホース高さ調整溝２６に上下方向自在に嵌合されるシャワ・ホース１５を手の位置まで下げる、あるいは立った状態で利用者Ｃが手洗いをする場合には、シャワ・ホース１５を手の位置まで上げる。
【００２６】
なお、洗面受け台２下部に設けられる汚水タンク６は、その下部を逆円錐形に形成し、下端部の直径を小さくすることにより、車椅子Ｂでの使用に邪魔にならず洗面受け台２下部に入り込むことができるために、障害者Ａは難なくシャワ・ホース１５のシャワ・ヘッド１６まで手を届かせることができる。
【００２７】
障害者Ａ、あるいは利用者Ｃはシャワ・ヘッド１６に設けられるレバー２５を片手で左右側にスライドさせることによって水の出水量を自在に調整することができると共に、薬用せっけん液ディスペンサ１８の下端のノズル１９を片手で下から押すことによって必要量のせっけん液を吐出させて手の洗浄を行うことができる。
【００２８】
また、手を洗った後は紙タオルボックス２０より紙タオルを取り出して手を拭き、下方の紙タオル投入口２１内よりダストボックス２２に廃棄する。
【００２９】
このようにして洗面受け台２が円形状の移動式簡易手洗い装置１は、同時に４人の車椅子に乗ったままの状態の障害者や立ったままでの利用者が手洗いをすることができると共に、介護者が障害者や利用者との間に入って介助することができる。
【００３０】
また、洗面受け台２が円形であることにより、全方位からの障害者、あるいは利用者の順番待ちが行えることにより多人数であっても効率の良い手洗いを行うことが可能となる。
【００３１】
次に、手を洗った後の汚水は、洗面受け台２より汚水タンク６へ排水される。そして汚水タンク６内に溜められた汚水は、汚水タンク６より排水ポンプ２４等によって強制的に排水して元の位置に移動させる。
【００３２】
なお、本実施例で詳述したように必ずしも円形状の洗面受け台２に対して９０度ごとにシャワ・ホースを設けた４人用とする必要性はなく、例えば１２０度ごとにシャワ・ホースを設けた３人用、あるいは多角形状の洗面受け台であっても構わない。
【００３３】
実施例２
図６は、本発明を適用した移動式簡易手洗い装置の一例を示す斜視図、図７は、図６における側面断面説明図、図８に、図６における給水タンクの要部拡大説明図を示す。
【００３４】
ここで示す携帯式簡易手洗い装置３０は、ベッド上での使用を想定し、小型かつ軽量とするために、中空方形状の容器本体３１の前部には、ジャバラ３２によって開閉自在とされる蓋兼水はねガード部３３が設けられる。
【００３５】
そして容器本体３１の上端面には、３〜５リットル容量の給水タンク３４が取り付けられる。この給水タンク３４は、下部にネジ式の給水口３５に螺着され、その先端に設けられるボタン３６が押されることによって開栓するキャップ部３７が設けられと共に、給水タンク３４の上部には回転させることによって空気孔３８が開口されるネジ式の注ぎ足しキャップ３９が設けられる。
【００３６】
そこで容器本体３１の上面には、給水タンク３４を嵌め合わせる凹部４０が形成され、その中央にキャップ部３７が嵌入される通水穴４１が設けられる。そして通水穴４１にキャップ部３７が嵌め入れられるように給水タンク３４を凹部４０に係留させるものである。
そこでキャップ部３７先端のボタン３６が押されることによって開栓されて給水タンク３４内の水が出水することになる。
【００３７】
ここで、容器本体３１内の上面には通水穴４１に連通状とされるシャワ・ホース４２が連結される。このシャワ・ホース４２はフレキシブル素材によって形成される。そして、前記シャワ・ホース４２の先端にはシャワ・ヘッド４３が装着される。このシャワ・ヘッド４３には、障害者の使用に便利な大きめのレバー４４を左右側に回動させることによって出水量を調整することができるシャワ水栓４５が取り付けられ、シャワ・ヘッド４３から糸を引くようにゆっくり出水するようにする。
【００３８】
次に、容器本体３１内の蓋兼水はねガード部３３の枢支位置には、水受け面４６が形成される。この水受け面４６は、逆円錐形に形成されると共に、その中央には排水口４７が開口される。そして水受け面４６と容器本体３１内の底部との空間内には、汚水タンク４８が着脱自在な状態で取り付けられ、この汚水タンク４８の流入口４９が水受け面４６の排水口４７内に嵌め入れられる構成とする。
【００３９】
また、容器本体３１の背面側には、着脱式の背面カバー５０が設けられ、この背面カバー５０を取外すことによって容器本体３１内が開放状とされ、容器本体３１内面の清掃や汚水タンク４８の取り替えが自在に行える構成とするものである。
【００４０】
また、容器本体３１の両側側面に渡ってハンドル５１が架設されると共に、一側側面には汚水タンク４８の水量をチェックするための覗き窓５２が形成される。この覗き窓５２は透明状とされると共に、汚水タンク４８も透明部材によって形成されることからの覗き窓５２によって汚水タンク４８内に溜まった汚水量をチェックすることが可能となる。
【００４１】
以上の構成よりなる本発明の携帯式簡易手洗い装置３０は、施設個室や個人住宅などでの寝たきりの場合に、居室でのポータブルトイレでの排泄後の手洗い、あるいは起床、食事、就寝時などでの手洗いや洗顔に用いるものである。
【００４２】
そこで、給水タンク３４に水を注入し、逆さにした場合でも水がこぼれることなく容器本体３１の上面の通水穴４１に連結することができる。そして容器本体３１前面に設けられる蓋兼水はねガード部３３を開くことにより容器本体３１内が開放状とされる。
【００４３】
次に、フレキシブル素材によって形成されるシャワ・ホース４２を容器本体３１の前面側に取り出すようにして折り曲げる。そして、シャワ・ヘッド４３に設けられるレバー４４を片手で左右側にスライドさせることによってシャワ・ヘッド４３より必要量の水を放出させる。
【００４４】
ここで、手洗いされた汚水は、傾斜状に開かれた蓋兼水はねガード部３３内面に落下し、その左右側のジャバラ３２によって容器本体３１外へ漏れることなく全ての汚水が容器本体３１内に流入する。
【００４５】
そして容器本体３１内に流入する汚水は、水受け面４６の中央の排水口４７を通して汚水タンク４８内に収納されることになる。
なお、汚水タンク４８内の汚水の廃棄時には、容器本体３１の背面側の背面カバー５０を取外し、汚水タンク４８を取り出して容器本体３１内を消毒・洗浄すると共に、給水タンク３４およびシャワ・ホース４２などの各部品を取外して消毒・洗浄することが容易に行える。
【図面の簡単な説明】
【００４６】
【図１】本発明を適用した実施例１における移動式簡易手洗い装置の一例を示す平面説明図である。
【図２】図１における側面説明図である。
【図３】図１における側面断面説明図である。
【図４】本発明を適用した実施例１における移動式簡易手洗い装置により作用状態を示す平面説明図である。
【図５】本発明を適用した実施例１における移動式簡易手洗い装置の使用状態を示す側面説明図である。
【図６】本発明を適用した実施例２における携帯式簡易手洗い装置の一例を示す斜視図である。
【図７】図６における断面説明図である。
【図８】本発明を適用した実施例２における携帯式簡易手洗い装置の給水タンクの一例を示す説明図である。
【図９】従来の簡易手洗い装置の一例を示す説明図である。
【符号の説明】
【００４７】
１    移動式簡易手洗い装置
２    洗面受け台
３    脚体部
４、４７    排水口
５    水はねガード板
６、４８    汚水タンク
７    ストッパー付きキャスター
８    給水塔
９、３４    給水タンク
１０、３５  給水口
１１    送水口
１２    除菌フィルター
１３    送水ホース分岐部
１４    給水ホース
１５、４２  シャワ・ホース
１６、４３  シャワ・ヘッド
１７、４５  シャワ水栓
１８    薬用せっけん液ディスペンサ
１９    ノズル
２０    紙タオルボックス
２１    紙タオル投入口
２２    ダストボックス
２３    給水ポンプ
２４    排水ポンプ
２５、４４  レバー
２６    シャワ・ホース高さ調整溝
３０    携帯式簡易手洗い装置
３１    容器本体
３２    ジャバラ
３３    蓋兼水はねガード部
３６    ボタン
３７    キャップ部
３８    空気孔
３９    注ぎ足しキャップ
４０    凹部
４１    通水孔
４６    水受け面
４９    投入口
５０    背面カバー
５１    ハンドル
５２    覗き窓
【図１】
2008200394.tif 000003
【図２】
2008200394.tif 000004
【図３】
2008200394.tif 000005
【図４】
2008200394.tif 000006
【図５】
2008200394.tif 000007
【図６】
2008200394.tif 000008
【図７】
2008200394.tif 000009
【図８】
2008200394.tif 000010
【図９】
2008200394.tif 000011